(57)【要約】　　　（修正有）【課題】壁などに投げつけると形状が変化し、壁面に展開して貼り付き、玩具としての面白みが得られる新規な形態の軟質玩具を提供する。【解決手段】軟質の外皮１２を所定の形状に形成し、適宜な位置に開口１６を形成して該開口から内部に充填材１４と装飾物２０を充填してなる軟質の玩具１０において、該外皮は、柔軟で高い展開特性と、弾性を有する材質で少なくとも一層以上形成し、かつ外部表面に所定の粘着性を有し、壁面などの目標面に投げつけた場合、該目標面に展開して不規則な形状となり、かつ該目標面に一時的に付着するとともに、弾性で徐々に形状が回復するように形成する。【選択図】図２
0003099204.tif 000002
【実用新案登録請求の範囲】
【請求項１】
軟質の外皮を所定の形状に形成し、適宜な位置に開口を形成して該開口から内部に充填材と装飾物を充填してなる軟質の玩具において、
該外皮は、柔軟で高い展開特性と、弾性を有する材質で少なくとも
一層以上形成し、かつ外部表面に所定の粘着性を有し、壁面などの目標面に投げつけた場合、該目標面に展開して不規則な形状となり、かつ該目標面に一時的に付着するとともに、弾性で徐々に形状が回復するように形成することを特徴とする軟質玩具。
【請求項２】
前記充填材が流動物か、もしくは膠質物であることを特徴とする請求項１に記載の軟質玩具。
【請求項３】
前記充填材と装飾物を該外皮と異なる色に着色することを特徴とする請求項１、もしくは請求項２に記載の軟質玩具。
【考案の詳細な説明】
【０００１】
【考案の属する技術分野】
この考案は、軟質の玩具に関し、特に壁などに投げつけて形状の変化などを楽しむ軟質の玩具に関する。
【０００２】
【従来の技術】
従来の壁などに投げつけて遊ぶ玩具に、粘弾性樹脂（ゴム）で被覆された球状或いは略球状の玩具であって、内部に流動物を充填するか、もしくは流動物に装飾物などを混入させて趣向性を増すようにしたものがある。係る玩具は、弾性を具えているため、使用者が壁などの硬質の面に投げつけると、硬質の面に接触し、弾性で投げつけた方向と異なる方向に跳ね返り、玩具としての面白みが得られる。
【０００３】
但し、上述の玩具は、単純に弾力で跳ねるのみであるため、遊び方も単調になり、容易に飽きる。よって、より変化に富んだ遊び方が求められる昨今の玩具に対するニーズを満たすことができない。
【０００４】
【考案が解決しようとする課題】
この考案は、壁などに投げつけると形状が変化し、壁面に展開して貼り付き、玩具としての面白みが得られる新規な形態の軟質玩具を提供することを課題とする。
【０００５】
【課題を解決するための手段】
そこで、本考案者は従来の技術に見られる欠点に鑑みて鋭意研究を重ねた結果、柔軟で高い展開特性と、弾性を有する材質で少なくとも一層以上形成した外皮と、該外皮に充填する充填材と装飾物とによってなる軟質玩具の構造によって本考案の課題を解決できる点に着眼し、かかる知見に基づいて本考案を完成させた。
【０００６】
以下、この考案について具体的に説明する。
請求項１に記載する軟質玩具は、軟質の外皮を所定の形状に形成し、適宜な位置に開口を形成して該開口から内部に充填材と装飾物を充填
してなる軟質の玩具において、
該外皮は、柔軟で高い展開特性と、弾性を有する材質で少なくとも
一層以上形成し、かつ外部表面に所定の粘着性を有し、壁面などの目標面に投げつけた場合、該目標面に展開して不規則な形状となり、かつ該目標面に一時的に付着するとともに、弾性で徐々に形状が回復するように形成する。
【０００７】
請求項２に記載する軟質玩具は、請求項１における充填材が流動物
か、もしくは膠質物である。
【０００８】
請求項３に記載する軟質玩具は、請求項１、もしくは請求項２にお
ける充填材と装飾物を該外皮と異なる色に着色する。
【０００９】
【考案の実施の形態】
この考案は、壁などに投げつけて形状の変化などを楽しむ軟質の玩
具を提供するものであって、柔軟で高い展開特性と、弾性を有する材
質で少なくとも一層以上形成した外皮と、該外皮に充填する充填材と
装飾物とによって構成する。
かかる軟質玩具の構造と特徴を詳述するために、具体的な実施例を挙げ、図示を参照にして以下に詳述する。
【００１０】
【第一の実施例】
図１に開示するように、この考案の軟質玩具（１０）は、優れた弾性と、伸縮性を具えたゴム製の外皮（１２）に流体の充填材（１４）を充填してなる。充填材（１４）は、流動物か膠質物を用いる。該外皮（１２）は、弾性と、成型時の重合性と、所定の粘着性の３項を主要な特性とする。即ち、高度の弾性を具えるため、圧力を受けた場合、容易に元の形状に回復することができ、成型時における高度な重合性を具えるため、軟質玩具（１０）を壁面などに投げつけても容易に破裂することがない。さらに、所定の粘着性を具えているため、壁面などに投げつけた場合、接触面が壁面などに一時的に貼りつく。
【００１１】
第１の実施例では外皮（１２）を球状に形成する。但し、球状以外に如何なる幾何的形状にしてもよく、さらに動物、飛行機などの形状にしてもよく、またサッカーボールの模様を付した球体にすることもできる。
【００１２】
図２に開示するように、軟質玩具（１０）は、弾性体を中空に形成してなり外皮（１２）と、該外皮（１２）の内部に充填する充填材（１４）と、封止シール（１８）とを具えてなり、外皮（１２）には、該充填材（１４）を充填するための円形の開口（１６）を形成し、封止シール（１８）で封止する。
【００１３】
充填材（１４）は、外皮（１２）と異なる色に着色するか、もしくは装飾物（２０）を混入させて、全体的に視覚上の変化を出してもよい。
【００１４】
図３に開示するように、軟質玩具（１０）を壁などの目標面（２２）に投げつけると、軟質玩具（１０）は衝撃を受けて形状が変化して壁面に平たく展開し、薄く、半透明の状態になる。この場合、外皮（１２）内の充填材料に混入した装飾物（２０）が外皮（１２）上から透けて見え、異なる視覚効果が発生する。また、装飾物（２０）は、複数混入し、それぞれ外皮（１２）と異なる色にすると、さらに異なる視覚上の効果が得られる。
【００１５】
外皮（１２）は、表面に所定の粘着性を有するため、軟質玩具（１０）を目標面（２２）に投げつけると一時的に目標面（２２）に粘着し、所定の時間が経過すると、弾性によって形状が元の状態に回復する。
【００１６】
図４には、軟質玩具（１０）の形状を変化させた例を開示する。すなわち、動物の形状に形成した軟質玩具（４０）であって、図面においては外皮（１２）を羊の形状に形成する。その他構造は上述する軟質玩具（１０）と同様である。また、同様に軟質玩具（４０）を硬質の目標面（４４）に投げつけると、動物の形状に形成した軟質玩具（４０）は、目標面（４４）に衝突する際の衝撃を受けて形状が変化し、目標面（４４）上に展開して付着する。この場合、外皮（４２）が半透明状になり、内部の装飾物（４６）が透けて見え、視覚上の変化が得られる。図示においては、装飾物（４６）を骨の形状に形成した。
即ち、食べ物が動物に食べられた後、体内に残留している状態を意味
する。係る装飾物（４６）を内部に混入させることによって、玩具自体の面白さを増すことができる。
【００１７】
【第２の実施例】
図５に第２の実施例を開示する。図面によれば、軟質玩具（５０）は、表面に粘着性を有する第１外皮（５６）と、該第１外皮（５６）に被覆され、粘着性を有しない第２外皮（５４）と、該策２外皮（５４）内に充填される充填材（５２）とを含んでなる。
【００１８】
第１の実施例では、充填材（１４）を単一の被覆層である外皮（１２）内に充填するため、一旦外皮（１２）が裂けたり、破れたりした場合、充填材料（１４）が外部に遺漏する欠点がある。このため、第２の実施例においては外皮を二重にすることによって、軟質玩具（５０）の柔軟性と強度を高め、同時に上述する単一の外皮による欠点を改善することができる。同様の原理により、外皮を２層以上にしてもよい。
【００１９】
図６に、第２の実施例における軟質玩具（５０）の動作を開示する。
軟質玩具（５０）を硬質の目標面（５８）に投げつけると、第１外皮（５６）は目標面（５８）に衝突する際の衝撃によって展開し、一時的に目標面（５８）に付着する。使用者が目標面（５８）から軟質玩具（５０）を剥離させる場合、第１外皮（５６）と第２外皮（５４）との間に延伸領域（６０）が形成される。目標面（５８）から軟質玩具（５０）を剥離させる力が延伸領域（６０）における延伸の限界を超えた場合、軟質玩具（５０）は目標面（５８）から離れる。係る延伸領域（６０）の伸縮によって、軟質玩具（５０）の遊び方に多様性が発生するとともに、実施の形態をさらに変化させることができるのみならず、軟質玩具（５０）の弾性と柔軟性を更に高めることができる。
【００２０】
以上はこの考案の好ましい実施例であって、この考案の実施の範囲を限定するものではない。よって、当業者のなし得る修正、もしくは変更であって、この考案の精神の下においてなされ、かつこの考案に対して均等の効果を有するものは、いずれもこの考案の実用新案登録請求の範囲に属するものとする。
【００２１】
【考案の効果】
この考案による軟質玩具は、壁面などに投げつけた場合、壁面などに展開して一時的に付着し、さらに内部に充填した装飾物が透けて見えるため、形状の変化など視覚上の変化を楽しむことができ、玩具としての新規な面自みが得られる効果を有する。
【００２２】
また、外皮を２層以上に形成することにより、破れにくく強度が強化され、使用寿命を延長させることができる。
【図面の簡単な説明】
【図１】この考案による軟質玩具の一部を切り欠いた説明図である。
【図２】図１に開示する軟質玩具の分解図である。
【図３】図１に開示する軟質玩具の動作を表わす説明図である。
【図４】外皮を動物の形状に形成した例を表わす説明図である。
【図５】この考案による軟質玩具の第２の実施例を表す説明図で
ある。
【図６】図５に開示する軟質玩具の動作を表す説明図である。
【符号の説明】
１０　軟質玩具
１２　外皮
１４　充填材
１６　開口
１８　封止シール
２０　装飾物
２２　目標面
４０　軟質玩具
４２　外皮
４４　目標面
４６　装飾物
５０　軟質玩具
５２　充填材
５４　第２外皮
５６　第１外皮
５８　目標面
６０　延伸領域
【図１】
0003099204.tif 000003
【図２】
0003099204.tif 000004
【図３】
0003099204.tif 000005
【図４】
0003099204.tif 000006
【図５】
0003099204.tif 000007
【図６】
0003099204.tif 000008